(57)【要約】【課題】ＰＯＰ広告を高い視認性で保持することのでき、且つ陳列棚への取り付けの自由度が高い陳列棚仕切具を提供する。【解決手段】陳列棚仕切具を、断面略コの字型の掛止部１６０と、掛止部の前面に、鉛直姿勢で、該掛止部の前面に対して垂直に取り付けられた板状の仕切部１００、２００と、仕切部の前端に、一方の面が前方を向くように取り付けられた板状の前方ＰＯＰ表示部２３０と、掛止部１６０の内側に取り外し自在に嵌着される断面略コの字型のアダプタ３００と、を有するものとする。【選択図】図１
2020080974.tif 000002
【特許請求の範囲】
【請求項１】
a) 前面片と、前記前面片に対向する後面片と、前記前面片の上端と前記後面片の上端を接続する上面片と、を備えた断面略コの字型の掛止部と、
b) 前記前面片の前面に、鉛直姿勢で、該前面片に対して垂直に取り付けられた板状の仕切部と、
c) 前記仕切部の前端に設けられたＰＯＰ表示部と、
を有し、
前記ＰＯＰ表示部が、一方の面が前方を向くように配置された板状の前方ＰＯＰ表示部を含むことを特徴とする陳列棚仕切具。
【請求項２】
前記ＰＯＰ表示部が、更に、前記仕切部の前端から前方に延出する板状の側方ＰＯＰ表示部を含み、
前記前方ＰＯＰ表示板が、前記側方ＰＯＰ表示板の前端に取り付けられていることを特徴とする請求項１に記載の陳列棚仕切具。
【請求項３】
更に、
d) 前片と、前記前片に対向する後片と、前記前片の上端と前記後片の上端とを接続する上片とを有し、前記掛止部の内側に取り外し自在に嵌着される断面略コの字型のアダプタ、
を有することを特徴とする請求項１又は２に記載の陳列棚仕切具。
【請求項４】
前記仕切部が、
e) 前記掛止部に固定された板状のベース部と、
f) 前記ベース部に、該ベース部と平行且つ前記ベース部に沿って前後にスライド自在に保持された板状のスライド部と、
を有し、
前記ＰＯＰ表示部が前記スライド部の前端に取り付けられていることを特徴とする請求項１〜３のいずれかに記載の陳列棚仕切具。
【請求項５】
前記ベース部又は前記スライド部のうちの一方に、前記ベース部又は前記スライド部のうちの他方に向けて突出する突起が設けられ、
前記ベース部又は前記スライド部の他方に、前記突起と係合する孔が前後方向に並んで複数個設けられていることを特徴とする請求項４に記載の陳列棚仕切具。
【発明の詳細な説明】
【技術分野】
【０００１】
本発明は、店頭に置かれた陳列棚に取り付けられ、該陳列棚に吊り下げられた商品同士を仕切るための陳列棚仕切具に関する。
【背景技術】
【０００２】
スーパーやドラッグストアなどの店頭では、陳列棚に、前方に突き出たロッド状の商品吊り下げ部を有する陳列フックを取り付け、前記商品吊り下げ部に多数の商品を吊り下げて展示する場合がある。前記陳列棚には、左右に伸びる断面角形の水平バーが設けられており、前記陳列フックの商品吊り下げ部の後端に設けられた断面コの字型の水平バー引掛部を、この水平バーに上から引っ掛けることによって、陳列棚に陳列フックが取り付けられる。
【０００３】
こうした陳列フックは、通常、一本の水平バーに複数個並べて取り付けられるが、多数の陳列フックを用いて他種類の商品を並べて陳列する場合には、陳列フック間に仕切具を配置して、商品をその種類や製造元に応じて仕切ることが望ましい。
【０００４】
特許文献１には、このような仕切具として、陳列棚の水平バーに上から引っ掛けて取り付けられる断面コの字型の水平バー引掛部と、水平バー引掛部から前方に伸びるベースアームと、ベースアームにスライド可能に支持されたスライドアームと、を備えた陳列棚仕切具が記載されている。この陳列棚仕切具において、前記スライドアームの前端には、左右側面にＰＯＰ広告を貼り付け可能なＰＯＰ広告取付部が設けられている。そのため、陳列棚仕切具の左右に位置する陳列フックに吊り下げられた商品の大きさや数量に応じて、スライドアームを前後にスライドさせることにより、ＰＯＰ広告を常に商品よりも前方に突き出して目立たせることができる。
【先行技術文献】
【特許文献】
【０００５】
【特許文献１】実用新案登録第3190020号公報
【発明の概要】
【発明が解決しようとする課題】
【０００６】
しかしながら、上記の陳列棚仕切具は、陳列棚への取り付けの自由度や、ＰＯＰ広告の視認性の面で改良の余地があった。
【０００７】
本発明は上記の点に鑑みて成されたものであり、その第１の目的は、ＰＯＰ広告を高い視認性で保持することのできる陳列棚仕切具を提供することにあり、その第２の目的は、陳列棚への取り付けの自由度が高い陳列棚仕切具を提供することにある。
【課題を解決するための手段】
【０００８】
上記課題を解決するために成された本発明に係る陳列棚仕切具は、
a) 前面片と、前記前面片に対向する後面片と、前記前面片の上端と前記後面片の上端を接続する上面片と、を備えた断面略コの字型の掛止部と、
b) 前記前面片の前面に、鉛直姿勢で、該前面片に対して垂直に取り付けられた板状の仕切部と、
c) 前記仕切部の前端に設けられたＰＯＰ表示部と、
を有し、
前記ＰＯＰ表示部が、一方の面が前方を向くように配置された板状の前方ＰＯＰ表示部を含むことを特徴としている。
【０００９】
このような構成によれば、前方ＰＯＰ表示部にＰＯＰ広告を表示することにより、陳列棚の前方に向けてＰＯＰ広告を表示することができるため、陳列棚の前に立った買い物客からＰＯＰ広告が見えやすくなる。
【００１０】
また、上記本発明に係る陳列棚仕切具は、
前記ＰＯＰ表示部が、更に、前記仕切部の前端から前方に延出する板状の側方ＰＯＰ表示部を含み、
前記前方ＰＯＰ表示板が、前記側方ＰＯＰ表示板の前端に取り付けられているものとしてもよい。
【００１１】
このような構成によれば、前方ＰＯＰ表示部及び側方ＰＯＰ表示部の両方にＰＯＰ広告を表示することにより、陳列棚の前方及び側方に向けてＰＯＰ広告を表示することが可能となり、ＰＯＰ広告の視認性を更に高めることができる。
【００１２】
また、上記本発明に係る陳列棚仕切具は、更に、
d) 前片と、前記前片に対向する後片と、前記前片の上端と前記後片の上端とを接続する上片とを有し、前記掛止部の内側に取り外し自在に嵌着される断面略コの字型のアダプタ、
を有するものとしてもよい。
【００１３】
このような構成によれば、アダプタを使用するか否かに応じて、本発明に係る陳列棚仕切具の取り付け方の自由度を高めることができる。具体的には、陳列棚の水平バーに取り付けられた２つの陳列フックの間に本発明に係る陳列棚仕切具を取り付ける際において、該２つの陳列フックを互いに近接するように配置し、各陳列フックの基端に設けられた水平バー引掛部の上から陳列棚仕切具の掛止部を嵌着したり、前記２つの陳列フックを互いに離間するように配置し、両陳列フックの水平バー引掛部の間に露出している水平バーにアダプタを取り付けて、該アダプタの上から本発明に係る陳列棚仕切具の掛止部を嵌着したりすることができる。
【００１４】
また、上記本発明に係る陳列棚仕切具は、
前記仕切部が、
e) 前記掛止部に固定された板状のベース部と、
f) 前記ベース部に、該ベース部と平行且つ前記ベース部に沿って前後にスライド自在に保持された板状のスライド部と、
を有し、
前記ＰＯＰ表示部が前記スライド部の前端に取り付けられているものとすることが望ましい。
【００１５】
また、上記本発明に係る陳列棚仕切具は、
前記スライド部又は前記ベース部のうちの一方に、前記スライド部又は前記ベース部のうちの他方に向けて突出する突起が設けられ、
前記ベース部又は前記スライド部の他方に、前記突起と係合する孔が前後方向に並んで複数個設けられているものとすることが望ましい。
【００１６】
このような構成によれば、スライド部を前後にスライドさせた際に、前記突起が前記複数の孔のいずれかと係合することにより、スライド部が段階的にロックされる。これにより、使用時にスライド位置が不用意に変わるのを防止することができる。
【発明の効果】
【００１７】
以上の通り、上記本発明に係る陳列棚仕切具によれば、前方ＰＯＰ表示部を設けたことにより、ＰＯＰ広告を高い視認性で保持することが可能となる。また、本発明に係る陳列棚仕切具を上記のようなアダプタを備えた構成とすることにより、陳列棚への取り付けの自由度を高めることができる。
【図面の簡単な説明】
【００１８】
【図１】本発明の一実施形態に係る陳列棚仕切具の全体構成を示す図であって、（ａ）が側面図、（ｂ）が上面図、（ｃ）が正面図である。
【図２】前記陳列棚仕切具のベース部及び掛止部の構成を示す図であって、（ａ）が側面図、（ｂ）がＡ−Ａ矢視断面図である。
【図３】前記陳列棚仕切具のスライド部、側方ＰＯＰ表示部、及び前方ＰＯＰ表示部の構成を示す図であって、（ａ）が側面図、（ｂ）がＢ−Ｂ矢視断面図である。
【図４】前記陳列棚仕切具の第１の取付態様を説明する図であって、陳列棚の水平バーに陳列フックを取り付けた状態を示す斜視図。
【図５】同取付態様を説明する図であって、陳列棚に前記陳列棚仕切具を取り付けた状態を示す斜視図。
【図６】同取付態様を説明する図であって、陳列棚に、商品を吊り下げた陳列フックと、前記陳列棚仕切具とを取り付けた状態を示す正面図。
【図７】前記陳列棚仕切具の第２の取付態様を説明する図であって、陳列棚の水平バーに陳列フックを取り付けた状態を示す斜視図。
【図８】同取付態様を説明する図であって、陳列棚に前記陳列棚仕切具を取り付けた状態を示す斜視図。
【図９】同取付態様を説明する図であって、陳列棚に、商品を吊り下げた陳列フックと、前記陳列棚仕切具とを取り付けた状態を示す正面図。
【発明を実施するための形態】
【００１９】
以下、本発明を実施するための形態について図面を参照しつつ説明する。
【００２０】
本実施形態に係る陳列棚仕切具は、陳列棚に設けられた水平バーに並んで配置された２つの陳列フックの間に配置することにより、各陳列フックに吊り下げられた商品同士を仕切ると共に、陳列棚の前方及び側方に向けてＰＯＰ広告を表示するものである。
【００２１】
図１に本実施形態に係る陳列棚仕切具の全体構成を示す。同図の（ａ）が前記陳列棚仕切具の側面図であり、（ｂ）が上面図、（ｃ）が正面図である。以下、図１（ａ）における左方を前方、右方を後方とし、図１（ｃ）における左方を左方、右方を右方とする。
【００２２】
この陳列棚仕切具は、ベース部１００と、ベース部１００の後端に固定され、陳列棚の水平バーに引っ掛けて取り付けられる掛止部１６０と、ベース部１００にスライド自在に支持されるスライド部２００と、スライド部２００の前端に設けられた側方ＰＯＰ表示部２２０及び前方ＰＯＰ表示部２３０と、掛止部１６０に装着されるアダプタ３００と、を備えている。これらは、いずれも透明な硬質プラスチック（例えば、アクリル樹脂、ＡＢＳ樹脂、又はポリカーボネート等）で構成されている。なお、ベース部１００及びスライド部２００が、本発明における「仕切部」に相当する。
【００２３】
図２に、本実施形態に係る陳列棚仕切具のベース部１００及び掛止部１６０の構成を示す。なお、同図の（ａ）は側面図、（ｂ）はＡ−Ａ矢視断面図である。
【００２４】
ベース部１００は、略長方形の板状の部材であるベース平板部１１０と、その上辺及び下辺に設けられ、それぞれスライド部２００の上辺及び下辺をスライド自在に保持するための上部レール１２０及び下部レール１３０とを備えている。上部レール１２０は、ベース平板部１１０の上辺から右方に延出した上面部１２１と、上面部１２１の右辺から下方に突出する複数の上側突出片１２２とを備えており、下部レール１３０は、ベース平板部１１０の下辺から右方に延出した下面部１３１と、下面部１３１の右辺から上方に突出する複数の下側突出片１３２とを備えている。更に、ベース平板部１１０は、その前端付近に設けられた上下２つの半球型の突起（以下、これらを「スライド位置ロック用突起１４０ａ、１４０ｂ」とよぶ）と、これらのスライド位置ロック用突起１４０ａ、１４０ｂよりも後方に設けられた角形の突起（以下、これを「脱落防止用突起１５０」とよぶ）とを備えている。なお、これらの突起１４０ａ、１４０ｂ、１５０は、いずれもベース平板部１１０の右側の面（すなわち、使用時にスライド部２００と対向する面）に設けられている。スライド位置ロック用突起１４０ａ、１４０ｂは、スライド部２００をベース部１００に対してスライドさせる際の位置決めを行うものであり、スムーズなスライドを実現するため、該突起１４０ａ、１４０ｂの高さ（ベース平板部１１０の厚さ方向における寸法）は比較的小さくなっている。これに対し、脱落防止用突起１５０は、スライド部２００を前方に引き出した際に、スライド部２００がベース部１００から外れるのを防止するためのものであり、該突起１５０の高さはスライド位置ロック用突起１４０ａ、１４０ｂよりも大きくなっている。これらの突起１４０ａ、１４０ｂ、１５０の周囲には、Ｕ字型の細孔１４１ａ、１４１ｂ、１５１が形成されており、これにより該細孔１４１ａ、１４１ｂ、１５１で囲まれた領域は左右方向（すなわちベース平板部１１０の厚さ方向）に弾性変形可能となっている。なお、各突起１４０ａ、１４０ｂ、１５０は、それぞれ細孔１４１ａ、１４１ｂ、１５１で囲まれた領域の先端に位置している。
【００２５】
掛止部１６０は、互いに対向する前面片１６１及び後面片１６２と、前面片１６１の上端と後面片１６２の上端とを接続する上面片１６３とを備えた断面略コの字型の形状を有している。前面片１６１及び上面片１６３は、それぞれ平坦な板状且つ互いに直角を成すように形成されているが、後面片１６２は、下方に向かうにつれて一旦前面片１６１に近づく方向（すなわち前方）に傾斜した後、前面片１６１から離れる方向（すなわち後方）に傾斜するように湾曲している。掛止部１６０がこのような形状を有していることにより、掛止部１６０を陳列棚の水平バー（厳密には水平バーと、それに取り付けられたアダプタ３００又は陳列フックの水平バー引掛部（後述）。以下、本段落において同じ）の上に取り付ける際に、前面片１６１と後面片１６２の間に水平バーが滑り込みやすく、更に、水平バーを前面片１６１と後面片１６２の間に入れ込むことによって後面片１６２が弾性変形し、その復元力によって水平バーが挟持される。そのため、本実施形態に係る陳列棚仕切具は、陳列棚の水平バーに容易に取り付けられると共に、該水平バーから不用意に脱落することがない。
【００２６】
図３に、本実施形態に係る陳列棚仕切具のスライド部２００、側方ＰＯＰ表示部２２０、及び前方ＰＯＰ表示部２３０の構成を示す。なお、同図の（ａ）は側面図、（ｂ）はＢ−Ｂ矢視断面図である。
【００２７】
スライド部２００は、略長方形の板状の部材であり、その右側の面（すなわち、使用時にベース部１００のベース平板部１１０と対向しない側の面）には、前後方向に伸びる補強用リブ２１１が、上下に間隔を空けて複数本設けられている。更に、スライド部２００には、上述の２つのスライド位置ロック用突起１４０ａ、１４０ｂのうち、上側のものと係合する円形の孔（以下、これらを「スライド位置ロック用孔２１２ａ」とよぶ）が前後方向に一定間隔で複数個並んで設けられている。また、その下方には、前記２つのスライド位置ロック用突起１４０ａ、１４０ｂのうち、下側のものと係合する円形の孔（以下、これらを「スライド位置ロック用孔２１２ｂ」とよぶ）が前後方向に一定間隔で複数並んで設けられている。また更に、スライド部２００の後端付近には、上述の脱落防止用突起１５０と係合する角形の孔（以下、これを「脱落防止用孔２１３」とよぶ）が一つ形成されている。
【００２８】
側方ＰＯＰ表示部２２０は、スライド部２００の前端に連接された板状の部材であり、商品名や宣伝文句等が記載されたシート（以下、これを「ＰＯＰ広告シート」とよぶ）を、その広告面を側方（左右方向）に向けた状態で保持するものである。一方、前方ＰＯＰ表示部２３０は、側方ＰＯＰ表示部２２０の前端に、側方ＰＯＰ表示部２２０と直交する向きに取り付けられた板状の部材であり、ＰＯＰ広告シートを、その広告面を前方に向けた状態で保持するものである。これらのＰＯＰ表示部２２０、２３０は、いずれも互いに平行且つわずかに間隔を空けて対向配置された２枚の透明板２２１及び２２２、並びに２３１及び２３２で構成されており、該２枚の透明板２２１及び２２２、並びに２３１及び２３２で挟まれた空間に、それぞれＰＯＰ広告シート６０１、６０２が保持される。なお、前記空間の下端はＰＯＰ広告シート６０１、６０２が抜け落ちないように閉鎖されており、上端はユーザがＰＯＰ広告シート６０１、６０２を出し入れできるように開放されている。更に、前記透明板２２１、２２２、及び２３１の上辺には、前記空間に保持されたＰＯＰ広告シート６０１、６０２をユーザが容易に取り出すことができるよう、半円形の切り欠き２２３、２３３が設けられている。
【００２９】
アダプタ３００は、掛止部１６０の内部に取り外し自在に装着される断面略コの字型の部品であり、互いに略平行な前片３０１及び後片３０２と、前片３０１の上端と後片３０２の上端とを接続する上片３０３とを備えている。アダプタ３００の幅（左右方向の寸法）は、掛止部１６０の上面片１６３の幅よりも小さくなっている（具体的には、上面片１６３の幅の1/3〜2/3程度が望ましく、1/2程度がより望ましい）。アダプタ３００の前後方向の内寸は、陳列棚の水平バーの厚さ（前後方向の寸法）と同じか、それより僅かに大きくなっている。なお、一般的に、水平バーの厚さは14mmであるため、アダプタ３００の前後方向の内寸は14mm〜16mm程度とすることが望ましい。また、アダプタ３００の前片３０１、後片３０２、及び上辺３０３の厚さはそれぞれ2mm〜4mmとすることが望ましく、2.5mm〜3．5mm程度とすることがより望ましい。また、アダプタ３００の前後方向の外寸は、掛止部１６０の前面片１６１と後面片１６２がもっとも接近する位置における両者の内面の間隔よりも大きく、掛止部１６０の前面片１６１と後面片１６２の上端部における両者の内面の間隔よりも小さくなっている。これにより、アダプタ３００を掛止部１６０の内部に容易に装着でき、なお且つ、装着したアダプタ３００が不用意に脱落するのを防止することができる。
【００３０】
本実施形態に係る陳列棚仕切具を組み立てる際には、ベース部１００の上部レール１２０及び下部レール１３０の前端にスライド部２００の後端を差し入れ、そのままスライド部２００をベース部１００の後端に向かってスライドさせる。このとき、スライド部２００のスライド位置に応じて陳列棚仕切具全体の長さ（前後方向の寸法）を変化させることができる。上述のように、スライド部２００には一定の間隔で複数のスライド位置ロック用孔２１２ａ、２１２ｂが設けられており、ベース部１００にはこれに係合するスライド位置ロック用突起１４０ａ、１４０ｂが設けられているため、スライド部２００を上部レール１２０及び下部レール１３０に沿ってスライドさせると、一定の距離毎に、スライド部２００がベース部１００に対して軽くロックされる。これにより、使用中に陳列棚仕切具の長さが不用意に変わるのを防止することができる。また、上述のとおり、スライド部２００の後端付近には脱落防止用孔２１３が設けられ、ベース部１００には脱落防止用突起１５０が設けられているため、ベース部１００に取り付けたスライド部２００を或る程度以上前方に引き出すと、脱落防止用突起１５０が脱落防止用孔２１３と係合して、ベース部１００からのスライド部２００の脱落が阻止される。
【００３１】
上述のとおり、本実施形態に係る陳列棚仕切具は、陳列棚の水平バーに並んで取り付けられた２つの陳列フックの間に取り付けられる。このとき、陳列棚仕切具の取り付けに、アダプタ３００を使用するか否かによって２種類の取付態様を実現することができる。以下、アダプタ３００を使用しない取付態様を「第１の取り付け態様」とよび、アダプタ３００を使用する取付態様を「第２の取り付け態様」とよぶ。
【００３２】
前記第１の取付態様について、図４〜図６を参照しつつ説明する。
【００３３】
図４は、陳列棚に設けられた角パイプ状の水平バー４００に、２つの陳列フック５００ａ、５００ｂが並んで取り付けられている状態を示している。これらの陳列フック５００ａ、５００ｂは、いずれも前方に突出し、互いに略平行な上部ロッド５０１ａ、５０１ｂ及び下部ロッド５０２ａ、５０２ｂと、上部ロッド５０１ａ、５０１ｂの前端に取り付けられたプラスチック製のカードホルダ５０３ａ、５０３ｂと、上部ロッド５０１ａ、５０１ｂの基端に取り付けられた断面略コの字型の水平バー引掛部５０４ａ、５０４ｂと、を備えている。上部ロッド５０１ａ、５０１ｂは金属製の棒材を略直角に折り曲げて成るものであり、その基端部は金属板を折り曲げて成る掛止部１６０の上面に溶接されている。また、上部ロッド５０１ａ、５０１ｂの基端付近の周面には、金属製の棒材から成る下部ロッド５０２ａ、５０２ｂの基端が溶接されている。なお、陳列フック５００ａ、５００ｂは、カードホルダ５０３ａ、５０３ｂ（又はカードホルダ５０３ａ、５０３ｂ及び上部ロッド５０１ａ、５０１ｂ）を有しないものであってもよい。
【００３４】
図４に示すように、本取付態様においては、前記２つの陳列フック５００ａ、５００ｂを、互いの水平バー引掛部５０４ａ、５０４ｂの側面同士が接触するように、水平バー４００に取り付ける。
【００３５】
そして、前記２つの陳列フック５００ａ、５００ｂの間に本実施形態に係る陳列棚仕切具を差し入れ、その掛止部１６０を両陳列フック５００ａ、５００ｂの掛止部１６０の上に被せるようにして取り付ける（図５）。これにより、陳列棚仕切具の掛止部１６０の左半分が、左側に位置する陳列フック５００ｂの掛止部１６０の右側略半分の領域を被覆し、陳列棚仕切具の掛止部１６０の右半分が、右側に位置する陳列フック５００ａの掛止部１６０の左側略半分の領域を被覆した状態となる。その結果、陳列棚仕切具の掛止部１６０の前面片１６１と後面片１６２によって陳列フック５００ａ、５００ｂの水平バー引掛部５０４ａ、５０４ｂが挟持され、該水平バー引掛部５０４ａ、５０４ｂを介して、陳列棚仕切具が水平バー４００に固定される。
【００３６】
なお、このような取付態様を可能とするため、陳列棚仕切具における掛止部１６０の前面片１６１の内面と後面片１６２の内面との間の距離は、互いの上端部では陳列フック５００ａ、５００ｂの水平バー引掛部５０４ａ、５０４ｂの前後方向の外寸よりも大きく（具体的には、例えば13mm〜20mm程度）、中間部では前記外寸よりも小さく（具体的には、例えば18mm〜24mm程度）、下端部では前記外寸よりも大きくなっている。これにより、陳列棚仕切具の掛止部１６０を、陳列フック５００ａ、５００ｂの水平バー引掛部５０４ａ、５０４ｂの上に容易に被せることができ、なお且つ、陳列棚仕切具の掛止部１６０が陳列フック５００ａ、５００ｂの水平バー引掛部５０４ａ、５０４ｂから不用意に外れるのを防止することができる。
【００３７】
図６は、本取付態様において、陳列棚の水平バー４００に、商品７００を吊り下げた２つの陳列フック５００ａ、５００ｂと、本実施形態に係る陳列棚仕切具とを取り付けた状態を示す正面図である。本実施形態の陳列棚仕切具では、側方ＰＯＰ表示部２２０に加えて、前方ＰＯＰ表示部２３０が設けられていることにより、陳列棚仕切具の側方だけでなく真正面に向けてもＰＯＰ広告を表示することができるため、ＰＯＰ広告による広告効果を高めることができる。また、本取付態様によれば、陳列棚仕切具の左右両側に位置する陳列フック５００ａ、５００ｂ同士の間隔を小さくすることができるため、商品７００を高密度で陳列することができる。
【００３８】
なお、ここでは２つの陳列フック５００ａ、５００ｂを、各々の水平バー引掛部５０４ａ、５０４ｂの側面同士が当接するように配置するものとしたが、該側面同士を離間させた場合でも、その間隔が陳列棚仕切具の掛止部１６０の幅よりも小さければ、本取付態様による取り付けが可能である。
【００３９】
続いて、第２の取付態様について、図７〜図９を参照しつつ説明する。
【００４０】
本取り付け態様においては、図７に示すように、まず、２つの陳列フック５００ａ、５００ｂを各々の水平バー引掛部５０４ａ、５０４ｂの側面同士の間隔が、アダプタ３００の幅（左右方向の寸法）以上となるように、望ましくはアダプタ３００の幅とほぼ等しくなるように、水平バー４００に取り付ける。
【００４１】
その後、前記２つの陳列フック５００ａ、５００ｂの水平バー引掛部５０４ａ、５０４ｂの間に露出している水平バー４００にアダプタ３００を上から被せるようにして取り付ける（図７）。なお、アダプタ３００の前後方向の外寸は、陳列フック５００ａ、５００ｂの水平バー引掛部５０４ａ、５０４ｂの外寸とほぼ等しくなっている。その後、前記アダプタ３００の上から本実施形態に係る陳列棚仕切具の掛止部１６０を取り付ける（図８）。なお、先に陳列棚仕切具の掛止部１６０の内部にアダプタ３００を装着しておき、この掛止部１６０を水平バー４００に取り付けるようにしてもよい。
【００４２】
以上により、陳列棚の水平バー４００が、アダプタ３００を介して陳列棚仕切具に設けられた掛止部１６０の前面片１６１及び後面片１６２によって挟持された状態となり、陳列棚仕切具が水平バー４００に固定される。
【００４３】
なお、上述したとおり、アダプタ３００の幅は陳列棚仕切具に設けられた掛止部１６０の幅よりも小さいため、前記２つの陳列フック５００ａ、５００ｂの水平バー引掛部５０４ａ、５０４ｂの側面同士の間隔を、アダプタ３００の幅以上であって陳列棚仕切具の水平バー引掛部の幅よりも小さくなるようにした場合には、本取付態様においても、陳列棚仕切具の水平バー引掛部の左右の側縁によって、該２つの陳列フック５００ａ、５００ｂの水平バー引掛部５０４ａ、５０４ｂの一部が覆われた状態となる。
【００４４】
図９は、本取付態様において、陳列棚の水平バー４００に、商品７００を吊り下げた２つの陳列フック５００ａ、５００ｂと、本実施形態に係る陳列棚仕切具とを取り付けた状態を示す正面図である。本取付態様によれば、２つの陳列フック５００ａ、５００ｂ同士の間隔を比較的広くした場合でも、該２つの陳列フックの間に本実施形態に係る陳列棚仕切具を取り付けることができる。
【００４５】
以上の通り、本実施形態に係る陳列棚仕切具によれば、２つの陳列フック５００ａ、５００ｂに吊り下げられた商品７００の間を仕切りつつ、陳列棚の前方及び側方に向けてＰＯＰ広告を表示することができる。また、本実施形態に係る陳列棚仕切具は、陳列フック５００ａ、５００ｂに吊り下げられた商品の数や大きさに応じてスライド部２００を前後にスライドさせることによって、側方ＰＯＰ表示部２２０及び前方ＰＯＰ表示部２３０を常に商品７００よりも前方に配置してＰＯＰ広告が視認されやすい状態とすることができる。また、アダプタ３００の使用／不使用によって２通りの取付態様を実現できるため、商品を陳列棚に高密度に陳列したい場合にも、空間的にゆとりを持たせて陳列したい場合にも対応することができる。
【００４６】
以上、本発明を実施するための形態について具体例を挙げて説明を行ったが、本発明は上記の実施形態に限定されるものではなく、本発明の趣旨の範囲で適宜変更が許容される。
【００４７】
例えば、上記実施形態では、本発明に係る陳列棚仕切具の全体を透明なプラスチックから成るものとしたが、これに限らず、陳列棚仕切具の一部又は全体を不透明な素材から成るものとしてもよい。
【００４８】
また、上記実施形態では、前方ＰＯＰ表示部２３０及び側方ＰＯＰ表示部２２０の内部にＰＯＰ広告シート６０１、６０２を保持させる構成としたが、これに限らず、これらのＰＯＰ表示部２２０、２３０の両方又は一方を、その表面にＰＯＰ広告シートを貼り付けることによって保持させたり、これらのＰＯＰ表示部２２０、２３０の両方又は一方にＰＯＰ広告を直接印刷したりしてもよい。
【００４９】
また、上記実施形態では、ベース平板部１１０に突起１４０ａ、１４０ｂ、１５０を設け、これらに係合する孔２１２ａ、２１２ｂ、２１３をスライド部２００に設けるものとしたが、これに限らず、スライド部２００に突起１４０ａ、１４０ｂ、１５０を設け、これに係合する孔２１２ａ、２１２ｂ、２１３をベース平板部１１０に設けてもよい。
【００５０】
また、上記実施形態では、本実施形態に係る陳列棚仕切具を、本発明において特徴的な前方ＰＯＰ表示部２３０とアダプタ３００の両方を備えたものとしたが、これらのうち、いずれか一方のみを備えたものとしてもよい。
【符号の説明】
【００５１】
１００…ベース部
１１０…ベース平板部
１２０…上部レール
１２１…上面部
１２２…上側突出片
１３０…下部レール
１３１…下面部
１３２…下側突出片
１４０ａ、１４０ｂ…スライド位置ロック用突起
１５０…脱落防止用突起
１６０…掛止部
１６１…前面片
１６２…後面片
１６３…上面片
２００…スライド部
２１２ａ、２１２ｂ…スライド位置ロック用孔
２１３…脱落防止用孔
２２０…側方ＰＯＰ表示部
２３０…前方ＰＯＰ表示部
３００…アダプタ
３０１…前片
３０２…後片
３０３…上片
４００…水平バー
５００ａ、５００ｂ…陳列フック
５０１ａ、５０１ｂ…上部ロッド
５０２ａ、５０２ｂ…下部ロッド
５０３ａ、５０３ｂ…カードホルダ
５０４ａ、５０４ｂ…水平バー引掛部
６０１、６０２…ＰＯＰ広告シート
７００…商品
【図１】
2020080974.tif 000003
【図２】
2020080974.tif 000004
【図３】
2020080974.tif 000005
【図４】
2020080974.tif 000006
【図５】
2020080974.tif 000007
【図６】
2020080974.tif 000008
【図７】
2020080974.tif 000009
【図８】
2020080974.tif 000010
【図９】
2020080974.tif 000011